(57)【特許請求の範囲】
【請求項１】
複数の発光素子が配列された光源と、
前記複数の発光素子の光度を１個又は複数個単位で個別に制御する光度制御手段と
を備えた照明装置であって、
前記光源における前記複数の発光素子の位置情報に対する温度分布特性を示す予め設定した補正テーブルと、当該照明装置の姿勢を検出する姿勢検出手段とを備え、
前記補正テーブルは、当該照明装置の予め定めた複数の姿勢毎に予め設定されており、
前記光度制御手段は、前記姿勢検出手段からの検出データに基づいて、当該照明装置の前記複数の姿勢毎に設定した前記補正テーブルのうち何れか一つを選択し、選択した前記補正テーブルの前記温度分布特性に基づいて前記位置情報に対応した前記複数の発光素子の光度を制御することを特徴とする照明装置。
【請求項２】
請求項１に記載の照明装置であって、
前記姿勢検出手段は、当該照明装置の水平方向に沿ったＸ軸と水平方向に直交する垂直方向に沿ったＺ軸との間の第１回転角度、及び、当該照明装置の前記Ｘ軸に直交する水平方向に沿ったＹ軸と前記Ｚ軸との間の第２回転角度を検出する角度検出手段を備えていることを特徴とする照明装置。
【請求項３】
請求項１又は請求項２に記載の照明装置であって、
前記光源は、面状光源とされており、
前記補正テーブルは、前記面状光源における前記複数の発光素子の位置情報に対する前記面状光源における前記温度分布特性を示す補正テーブルであることを特徴とする照明装置。
【請求項４】
請求項３に記載の照明装置であって、
前記面状光源の発光面とは反対側の背面の一部に設けられた放熱部材を備えていることを特徴とする照明装置。
【請求項５】
請求項４に記載の照明装置であって、
前記放熱部材は、金属部材とされていることを特徴とする照明装置。
【請求項６】
請求項４又は請求項５に記載の照明装置であって、
前記放熱部材は、前記面状光源を支持する支持フレームとされていることを特徴とする照明装置。
【請求項７】
請求項３から請求項６までの何れか１項に記載の照明装置であって、
前記面状光源の発光面とは反対側の背面の一部に設けられた冷却装置を備えていることを特徴とする照明装置。
【請求項８】
請求項１から請求項７までの何れか１項に記載の照明装置であって、
前記光度制御手段は、前記補正テーブルの前記温度分布特性における前記複数の発光素子に対応する位置での設定温度と、前記光度を制御する光度制御の基準となる基準温度との温度差に応じて前記複数の発光素子の光度を制御することを特徴とする照明装置。
【請求項９】
請求項８に記載の照明装置であって、
前記光度制御手段は、前記複数の発光素子のうち、温度と光度との関係が負の相関関係を示す特性を有し、かつ、前記設定温度が前記基準温度よりも低い発光素子に対して前記温度差に対応する分だけ該発光素子の光度を小さくすることを特徴とする照明装置。
【請求項１０】
請求項８又は請求項９に記載の照明装置であって、
前記光度制御手段は、前記複数の発光素子のうち、温度と光度との関係が負の相関関係を示す特性を有し、かつ、前記設定温度が前記基準温度よりも高い発光素子に対して前記温度差に対応する分だけ該発光素子の光度を大きくすることを特徴とする照明装置。
【請求項１１】
請求項９に記載の照明装置であって、
前記基準温度は、前記温度分布特性における前記設定温度のうち最大の設定温度とされていることを特徴とする照明装置。
【請求項１２】
請求項１から請求項１１までの何れか１項に記載の照明装置であって、
前記複数の発光素子を一群としてそれぞれ有する複数の発光素子群を備え、
前記複数の発光素子群のそれぞれにおける前記複数の発光素子は、前記複数の発光素子群間で互いに異なる色の光を発光する発光素子とされており、
前記光源は、前記複数の発光素子群のそれぞれにおける前記複数の発光素子にて発光される光を合成することで予め設定した規定色を発光する光源とされており、
前記光度制御手段は、前記複数の発光素子群のそれぞれにおける前記複数の発光素子の光度を１個又は複数個単位で個別に制御することを特徴とする照明装置。
【請求項１３】
請求項１から請求項１２までの何れか１項に記載の照明装置を備えていることを特徴とする表示装置。
【請求項１４】
請求項１３に記載の表示装置であって、
前記光度制御手段は、当該表示装置の表示画像において区画された各領域の明暗に基づいて前記複数の発光素子のうち前記各領域に対応する発光素子の光度を制御することを特徴とする表示装置。
【発明の詳細な説明】
【技術分野】
【０００１】
本発明は、複数の発光素子が配列された光源（例えば面状光源）を備えた照明装置及びそれを備えた表示装置に関する。
【背景技術】
【０００２】
発光ダイオード（ＬＥＤ：Light Emitting Diode）等の複数の発光素子が配列された光源（具体的には面状光源として作用するバックライト光源）を備えた照明装置（具体的にはバックライト装置）は、近年、パーソナルコンピュータなどのコンピュータのモニタや、テレビジョン受像機などの表示装置に広く用いられるようになってきている。
【０００３】
このような照明装置では、温度分布特性が均一でないと、輝度が不均一となり、輝度ムラが発生することがある。特に、面状光源における温度分布特性が均一でないと、該面状光源の発光面における輝度が不均一となり、該発光面において輝度ムラが発生することが多い。
【０００４】
詳しくは、発光素子は、一般的に、温度と光度との関係が負の相関関係を示す特性（すなわち周囲温度が上昇するに伴って相対光度が小さくなる特性）を有しているものが多い。
【０００５】
このため、温度分布特性の不均一性により発光素子の発光効率が発光部の位置によって異なってしまうことから、輝度ムラが発生する。例えば、面状光源における温度分布特性の不均一性により発光素子の発光効率が発光面の位置によって異なってしまうことから、該発光面において輝度ムラが発生し易い。そのため、温度分布特性の不均一性に関わらず、均一な輝度を有する光源（特に、発光面で均一な輝度を有する面状光源）が要求されている。
【０００６】
この点に関し、従来では、面状光源に配列された複数の発光ダイオードの温度を検出する温度検出手段の検出結果に基づいて発光ダイオードの光度を制御する照明装置が提案されている（例えば特許文献１，２参照）。
【先行技術文献】
【特許文献】
【０００７】
【特許文献１】特開２００６−１４７３７３号公報
【特許文献２】特表２００９−０１６９１３号公報（再公表公報）
【発明の概要】
【発明が解決しようとする課題】
【０００８】
しかしながら、特許文献１，２に記載のように、面状光源に配列された複数の発光素子の温度を検出する温度検出手段の検出結果に基づいて発光素子の光度を制御する照明装置では、発光面における輝度を均一にするためには、面状光源において温度検知手段を多数搭載し、搭載した多数の温度検知手段の検出結果に基づいて各温度検知手段に対応する発光素子の光度をそれぞれ制御する必要があり、それだけ制御構成の複雑化かつ大型化を招くという不都合がある。
【０００９】
そこで、本発明は、複数の発光素子が配列された光源を備えた照明装置であって、制御構成の複雑化かつ大型化を招くことなく、温度分布特性の不均一性に関わらず輝度を均一にすることができる照明装置及びそれを備えた表示装置を提供することを目的とする。
【課題を解決するための手段】
【００１０】
本発明は、前記課題を解決するために、複数の発光素子が配列された光源と、前記複数の発光素子の光度を１個又は複数個単位で個別に制御する光度制御手段とを備えた照明装置であって、前記光源における前記複数の発光素子の位置情報に対する温度分布特性を示す予め設定した補正テーブルと、当該照明装置の姿勢を検出する姿勢検出手段とを備え、前記補正テーブルは、当該照明装置の予め定めた複数の姿勢毎に予め設定されており、前記光度制御手段は、前記姿勢検出手段からの検出データに基づいて、当該照明装置の前記複数の姿勢毎に設定した前記補正テーブルのうち何れか一つを選択し、選択した前記補正テーブルの前記温度分布特性に基づいて前記位置情報に対応した前記複数の発光素子の光度を制御することを特徴とする照明装置を提供する。
【００１１】
また、本発明は、前記本発明に係る照明装置を備えていることを特徴とする表示装置も提供する。
【００１２】
本発明によれば、前記光度制御手段が前記補正テーブルの前記温度分布特性に基づいて前記位置情報に対応した前記複数の発光素子の光度を制御するので、従来の如く、発光素子の温度を検出する温度検出手段を設ける必要がない。従って、制御構成の複雑化かつ大型化を招くことがなく、前記温度分布特性の不均一性に関わらず輝度を均一にすることができる。
【００１３】
ところで、前記照明装置の姿勢が変化すると、フレーム等の構成部材の配置状態、内部機構の凹凸、外装部に設けられた通気口の位置といった前記照明装置の構成状態に応じて前記温度分布特性が変化し、これにより、前記照明装置の姿勢変化の前後で個々の前記発光素子が受ける熱の影響に差異が生じることがある。そうすると、前記照明装置の姿勢変化によって、個々の前記発光素子の発光効率が異なってしまい、従って、輝度ムラを招く。
【００１４】
かかる観点から、本発明において、前記照明装置の姿勢を検出する姿勢検出手段をさらに備え、前記補正テーブルは、前記照明装置の予め定めた複数の姿勢毎に予め設定されており、前記光度制御手段は、前記姿勢検出手段からの検出データに基づいて、前記照明装置の前記複数の姿勢毎に設定した前記補正テーブルのうち何れか一つを選択し、選択した前記補正テーブルの前記温度分布特性に基づいて前記位置情報に対応した前記複数の発光素子の光度を制御する。
【００１５】
こうすることで、前記照明装置の姿勢が変化することにより、フレーム等の構成部材の配置状態、内部機構の凹凸、外装部に設けられた通気口の位置といった前記照明装置の構成状態に応じて前記温度分布特性が変化し、これにより、前記照明装置の姿勢変化の前後で個々の前記発光素子が受ける熱の影響に差異が生じても、前記光度制御手段は、前記姿勢検出手段からの検出データに基づいて、前記照明装置の前記複数の姿勢毎に設定した前記補正テーブルのうち何れか一つを選択し、選択した前記補正テーブルの前記温度分布特性に基づいて前記位置情報に対応した前記複数の発光素子の光度を制御することで、前記照明装置の姿勢変化によっても、個々の前記発光素子の発光効率を均一にすることができ、従って、たとえ前記照明装置の姿勢が変化しても輝度を均一にすることができる。
【００１６】
本発明において、前記姿勢検出手段は、前記照明装置の水平方向に沿ったＸ軸と水平方向に直交する垂直方向に沿ったＺ軸との間の第１回転角度、及び、前記照明装置の前記Ｘ軸に直交する水平方向に沿ったＹ軸と前記Ｚ軸との間の第２回転角度を検出する角度検出手段を備えている態様を例示できる。
【００１７】
この特定事項では、前記角度検出手段により、前記照明装置の前記Ｘ軸と前記Ｚ軸との間の前記第１回転角度、及び、前記照明装置の前記Ｙ軸と前記Ｚ軸との間の前記第２回転角度を検出することができ、これにより、前記照明装置の様々な姿勢を精度良く検出することができ、従って、前記照明装置の様々な姿勢に対応させることが可能となる。
【００１８】
本発明において、前記光源は、面状光源とされており、前記補正テーブルは、前記面状光源における前記複数の発光素子の位置情報に対する前記面状光源における前記温度分布特性を示す補正テーブルである態様を例示できる。
【００１９】
この特定事項では、前記面状光源における前記温度分布特性の不均一性に関わらず前記面状光源の発光面における輝度を均一にすることができる。
【００２０】
ところで、本発明において、前記光源が面状光源とされている場合、前記面状光源の発光面とは反対側の背面の一部に設けられた放熱部材を備えている場合には、前記面状光源における熱が前記放熱部材で逃げやすくなり、これにより前記放熱部材で不均一に放熱されて前記面状光源における前記温度分布特性が不均一になり易い。
【００２１】
よって、本発明では、前記面状光源の発光面とは反対側の背面の一部に設けられた放熱部材を備えている場合に特に有効となる。
【００２２】
ここで、本発明にいう「放熱部材」は、初めから放熱を意図する部材でなくても、例えば、前記面状光源を支持する支持部材が結果的に放熱部材となっていている場合も含む概念である。
【００２３】
また、金属部材は、通常、熱伝導性に優れているため、前記放熱部材として金属部材を用いることにより、前記放熱部材でさらに不均一に放熱されて前記面状光源における前記温度分布特性がさらに不均一になり易い。
【００２４】
よって、本発明では、前記放熱部材が金属部材とされている場合にさらに有効となる。
【００２５】
また、前記面状光源を支持する支持フレームは、前記面状光源の中央部（周縁部以外の位置）に設けられることが多い。そうすると、前記面状光源における前記温度分布特性の中央部で温度が低下し易く、従って、前記面状光源の発光面における輝度ムラが目立ち易い。
【００２６】
よって、本発明では、前記放熱部材が前記面状光源を支持する支持フレームとされている場合にさらに有効となる。
【００２７】
また、本発明において、前記面状光源の発光面とは反対側の背面の一部に設けられた冷却装置を備えている場合には、前記面状光源における熱が前記冷却装置で逃げやすくなり、これにより前記冷却装置で不均一に放熱されて前記面状光源における前記温度分布特性が不均一になり易い。
【００２８】
よって、本発明では、前記面状光源の発光面とは反対側の背面の一部に設けられた冷却装置を備えている場合に特に有効となる。
【００２９】
本発明において、前記光度制御手段は、前記補正テーブルの前記温度分布特性における前記複数の発光素子に対応する位置での設定温度と、前記光度を制御する光度制御の基準となる基準温度との温度差に応じて前記複数の発光素子の光度を制御する態様を例示できる。
【００３０】
この特定事項では、前記光度制御手段が前記温度差に応じて前記複数の発光素子の光度を制御するので、簡単な制御構成で輝度を均一にすることができる。
【００３１】
本発明において、前記光度制御手段は、前記複数の発光素子のうち、温度と光度との関係が負の相関関係を示す特性を有し、かつ、前記設定温度が前記基準温度よりも低い発光素子に対して前記温度差に対応する分だけ該発光素子の光度を小さくする態様を例示できる。
【００３２】
ここで前記「負の相関関係」とは、温度の上昇に伴い光度が小さくなり、温度の低下に伴い光度が大きくなる関係をいう。
【００３３】
この特定事項では、前記光度制御手段が、前記複数の発光素子のうち、前記負の相関関係を示す特性を有し、かつ、前記設定温度が前記基準温度よりも低い発光素子に対して前記温度差に対応する分だけ該発光素子の光度を小さくするので、それだけ全体の消費電力を低く抑えた状態で、輝度を均一にすることができる。
【００３４】
本発明において、前記光度制御手段は、前記複数の発光素子のうち、温度と光度との関係が負の相関関係を示す特性を有し、かつ、前記設定温度が前記基準温度よりも高い発光素子に対して前記温度差に対応する分だけ該発光素子の光度を大きくする態様を例示できる。
【００３５】
この特定事項では、前記光度制御手段が、前記複数の発光素子のうち、前記負の相関関係を示す特性を有し、かつ、前記設定温度が前記基準温度よりも高い発光素子に対して前記温度差に対応する分だけ該発光素子の光度を大きくするので、それだけ全体の輝度を大きくした状態で、輝度を均一にすることができる。
【００３６】
本発明において、前記基準温度は、前記温度分布特性における前記設定温度のうち最大の設定温度とされている態様を例示できる。
【００３７】
この特定事項では、前記複数の発光素子のうち、光度をこれ以上大きくできない発光素子、例えば、発光時に最大の光度で発光する発光素子に効果的に適用することができる。
【００３８】
ところで、前記光源（例えば前記面状光源）として、前記複数の発光素子にて発光される光を１色とする光源を適用してもよいが、前記複数の発光素子を一群としてそれぞれ有する複数の発光素子群を備え、前記複数の発光素子群のそれぞれにおける前記複数の発光素子は、前記複数の発光素子群間で互いに異なる色の光を発光する発光素子とされており、前記光源は、前記複数の発光素子群のそれぞれにおける前記複数の発光素子にて発光される光を合成することで予め設定した規定色を発光する光源を適用してもよい。この場合、前記光度制御手段は、前記複数の発光素子群のそれぞれにおける前記複数の発光素子の光度を１個又は複数個単位で個別に制御する態様を例示できる。
【００３９】
この特定事項では、前記光源として、前記複数の発光素子群のそれぞれにおける前記複数の発光素子にて発光される光を合成することで前記規定色を発光する光源を適用した場合でも、輝度を効果的に均一にすることができ、前記規定色の色相を一定に維持した状態で、輝度を均一にすることが可能となる。
【００４０】
本発明において、前記光度制御手段は、前記表示装置の表示画像において区画された各領域の明暗に基づいて前記複数の発光素子のうち前記各領域に対応する発光素子の光度を制御する態様を例示できる。
【００４１】
この特定事項では、前記表示装置の表示画像における前記各領域の明暗に基づいて前記複数の発光素子のうち前記各領域に対応する発光素子の光度を制御するので、前記温度分布特性の不均一性に関わらず輝度を均一にして、前記各領域の明暗に基づく前記各領域に対応する発光素子の光度の制御を行うことができ、これにより、前記表示装置の高コントラスト化かつ低消費電力化の実現を安定して行うことが可能となる。
【発明の効果】
【００４２】
以上説明したように、本発明によると、前記光度制御手段が前記補正テーブルの前記温度分布特性に基づいて前記位置情報に対応した前記複数の発光素子の光度を制御することで、従来の如く、発光素子の温度を検出する温度検出手段を設ける必要がない。従って、制御構成の複雑化かつ大型化を招くことがなく、前記温度分布特性の不均一性に関わらず輝度を均一にすることができる。
【図面の簡単な説明】
【００４３】
【図１】第１実施形態に係る液晶表示装置を備えたテレビ受信装置の概略構成を示す分解斜視図である。
【図２】図１に示すテレビ受信装置における液晶表示装置の概略構成を示す分解斜視図である。
【図３】図１及び図２に示す液晶表示装置の一部を概略的に示す断面図である。
【図４】図２及び図３に示すバックライト装置の光学シート群を取り外した状態を正面から視た概略平面図であって、バックライト装置における行方向の一方側（左側）で列方向の両側（上下）に設けられた二つのＬＥＤ基板部分を示す図である。
【図５】図２及び図３に示すバックライト装置の光学シート群を取り外した状態を正面から視た概略平面図であって、バックライト装置における行方向の他方側（右側）で列方向の両側（上下）に設けられた二つのＬＥＤ基板部分を示す図である。
【図６】第１実施形態に係る液晶表示装置におけるバックライト装置の制御構成を示す概略ブロック図である。
【図７】バックライト光源におけるＬＥＤ基板において白色ＬＥＤが区画された状態の一例を示す概略平面図である。
【図８】図７において区画された一つの区画領域を示す概略平面図であって、６個単位で個別に駆動制御される白色ＬＥＤを示す図である。
【図９】第１実施形態に係るバックライト装置における温度飽和時のバックライト光源を正面から測定したサーモグラフィの測定結果を示す温度分布図である。
【図１０】バックライト光源の温度分布特性を示す温度分布補正テーブルのデータ構造を示す概略構成図である。
【図１１】バックライト光源に設けられる白色ＬＥＤの周囲温度と相対光度との関係を示すグラフである。
【図１２】最大の設定温度を基準とした温度補正テーブルのデータ構造を示す概略構成図である。
【図１３】第１実施形態に係るバックライト装置のバックライト制御部による区画領域における白色ＬＥＤの輝度制御の一例を示すフローチャートである。
【図１４】中程の設定温度を基準とした温度補正テーブルのデータ構造を示す概略構成図である。
【図１５】図１に示すバックライト装置におけるバックライト光源に冷却ファンが設けられている状態を示す分解斜視図である。
【図１６】第２実施形態に係る液晶表示装置の姿勢を変更する構成とされたスタンドを備えたテレビ受信装置の概略構成を示す分解斜視図である。
【図１７】第２実施形態に係る液晶表示装置の姿勢を変化させる回転機構部分を示す概略斜視図であって、（ａ）は、裏側キャビネットを固定する固定面がＸ軸方向とＺ軸方向との双方に沿っている状態を示す図であり、（ｂ）は、固定面がＸ軸方向とＹ軸方向との双方に沿っている状態を示す図である。
【図１８】一対の放熱部材に加えて、中間放熱部材がさらに設けられたバックライト装置を備えた液晶表示装置を概略的に示す斜視図である。
【図１９】一対の放熱部材が設けられた液晶表示装置を備えたテレビ受信装置の姿勢変化により熱が溜まりやすい部分を模式的に示す概略斜視図であって、（ａ）は、液晶表示装置の横置き姿勢を示す図であり、（ｂ）は、液晶表示装置の縦置き姿勢を示す図であり、（ｃ）は、液晶表示装置の水平置き姿勢を示す図である。
【図２０】一対の放熱部材に加えて、中間放熱部材がさらに設けられた液晶表示装置を備えたテレビ受信装置の姿勢変化により熱が溜まりやすい部分を模式的に示す概略斜視図であって、（ａ）は、液晶表示装置の横置き姿勢を示す図であり、（ｂ）は、液晶表示装置の縦置き姿勢を示す図であり、（ｃ）は、液晶表示装置の水平置き姿勢を示す図である。
【図２１】第２実施形態に係る液晶表示装置におけるバックライト装置の制御構成を示す概略ブロック図である。
【図２２】液晶表示装置の横置き姿勢に対応する第１温度分布補正テーブルＴＢ１（１）のデータ構造を示す概略構成図である。
【図２３】液晶表示装置の縦置き姿勢に対応する第２温度分布補正テーブルＴＢ１（２）のデータ構造を示す概略構成図である。
【図２４】液晶表示装置の水平置き姿勢に対応する第３温度分布補正テーブルＴＢ１（３）のデータ構造を示す概略構成図である。
【図２５】第２実施形態に係るバックライト装置のバックライト制御部による区画領域における白色ＬＥＤの輝度制御の一例を示す前半部分のフローチャートである。
【図２６】第２実施形態に係るバックライト装置のバックライト制御部による区画領域における白色ＬＥＤの輝度制御の一例を示す後半部分のフローチャートである。
【図２７】第３実施形態に係るバックライト装置において赤色ＬＥＤ、緑色ＬＥＤ及び青色ＬＥＤを組み合わせることにより白色発光するバックライト光源の制御構成を示す概略ブロック図である。
【図２８】第４実施形態に係るバックライト装置において赤色ＬＥＤ、緑色ＬＥＤ及び青色ＬＥＤを組み合わせることにより白色発光するバックライト光源の制御構成を示す概略ブロック図である。
【図２９】図７において区画された一つの区画領域を示す概略平面図であって、２個単位で個別に駆動制御される赤色ＬＥＤ、緑色ＬＥＤ及び青色ＬＥＤを示す図である。
【図３０】バックライト光源に設けられる赤色ＬＥＤ、緑色ＬＥＤ及び青色ＬＥＤの周囲温度と相対光度との関係を示すグラフである。
【発明を実施するための形態】
【００４４】
以下、本発明に係る実施の形態について図面を参照しながら説明する。なお、以下に示す実施の形態は、本発明を具体化した例であって、本発明の技術的範囲を限定する性格のものではない。
【００４５】
（第１実施形態）
まず、液晶表示装置１０を備えたテレビ受信装置ＴＶの構成について説明した後、液晶表示装置１０の構成について説明する。
【００４６】
図１は、第１実施形態に係る液晶表示装置１０を備えたテレビ受信装置ＴＶの概略構成を示す分解斜視図である。図２は、図１に示すテレビ受信装置ＴＶにおける液晶表示装置１０の概略構成を示す分解斜視図である。また、図３は、図１及び図２に示す液晶表示装置１０の一部を概略的に示す断面図である。なお、図３においてベゼル１３及びフレーム１６等は図示を省略している。
【００４７】
テレビ受信装置ＴＶは、図１に示すように、液晶表示装置１０と、液晶表示装置１０を挟むようにして収容する表側及び裏側キャビネットＣａ，Ｃｂと、電源Ｐと、チューナーＴと、スタンドＳとを備えている。
【００４８】
液晶表示装置１０は、全体として横長の方形を成し、横置き姿勢で収容されている。液晶表示装置１０は、この例では、６０インチの表示画面を有している。液晶表示装置１０は、図２に示すように、液晶パネル１１と、液晶パネル１１に対して裏側から照明するバックライト装置（照明装置の一例）１２とを備え、これらが枠状のベゼル１３などの保持部材により一体的に保持されるようになっている。
【００４９】
次に、液晶表示装置１０を構成する液晶パネル１１及びバックライト装置１２について説明する。
【００５０】
液晶パネル１１は、詳細な構成要素については図示を省略しているが、一対のガラス基板が所定のギャップを隔てた状態で貼り合わせられるとともに、両ガラス基板間に液晶が封入された構成とされる。
【００５１】
一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００５２】
バックライト装置１２は、図２に示すように、発光面側（液晶パネル１１側）に開口した略箱型をなすシャーシ１４（筐体の一例）と、シャーシ１４の開口部を覆うようにして配される光学シート群１５と、シャーシ１４の外縁に沿って配され、かつ、光学シート群１５の外縁部をシャーシ１４との間で挟んで保持するフレーム１６と、白色発光する複数の発光ダイオード（発光素子の一例、以下、白色ＬＥＤと称する。）１７，…と、複数の白色ＬＥＤ１７，…を搭載したＬＥＤ基板（基板の一例）２０とを備えている。光学シート群１５は、拡散板１５ａと、拡散板１５ａ及び液晶パネル１１の間に配される１又は複数の光学シート１５ｂとを備えている。
【００５３】
シャーシ１４内には、白色ＬＥＤ１７，…を搭載したＬＥＤ基板２０が配設されている。本第１実施形態では、シャーシ１４と白色ＬＥＤ１７，…とＬＥＤ基板２０とで平面光源として作用するバックライト光源（面状光源の一例）７０を構成している。なお、バックライト装置１２においては、白色ＬＥＤ１７，…に対して拡散板１５ａ側が発光面側となっている。
【００５４】
詳しくは、シャーシ１４は、金属製の部材で構成されており、液晶パネル１１と同様に矩形状をなす底板１４ａと、底板１４ａの各辺の外端から立ち上がる側板１４ｂと、各側板１４ｂの立ち上がり端から外向きに張り出す受け板１４ｃとを有し、全体として表側に向けて開口した浅い略箱型をなしている。
【００５５】
具体的には、シャーシ１４の受け板１４ｃには、フレーム１６が載置されており、受け板１４ｃとフレーム１６との間で光学シート群１５の外縁部が挟持されている。
【００５６】
シャーシ１４の開口部側には、拡散板１５ａと光学シート１５ｂとを備えた光学シート群１５が配設されている。拡散板１５ａは、合成樹脂製の板状部材に光散乱粒子が分散配合されてなり、白色ＬＥＤ１７，…から出射される点状の光を拡散する機能を有する。拡散板１５ａの外縁部は前述したようにシャーシ１４の受け板１４ｃ上に載置されており、上下方向の強固な拘束力を受けないものとされている。
【００５７】
拡散板１５ａ上に配される光学シート１５ｂは、拡散板１５ａに比して板厚が薄いシート状をなしており、２枚が積層して配されている。光学シート１５ｂの具体的な種類としては、例えば拡散シート、レンズシート、反射型偏光シートなどがあり、これらの中から適宜選択して使用することが可能である。光学シート１５ｂは、白色ＬＥＤ１７，…から出射され、拡散板１５ａを通過した光を面状の光とする機能を有し、白色ＬＥＤ１７，…とは反対側で発光面を構成している。光学シート１５ｂの発光面側には液晶パネル１１が設置されている。
【００５８】
本第１実施形態において、バックライト装置１２は、放熱部材１８をさらに備えている。放熱部材１８は、バックライト光源７０の発光面とは反対側の背面（具体的にはシャーシ１４の背面）の一部に設けられた金属製の部材で構成されている。これにより、放熱部材１８は、バックライト装置１２の本体で発生する熱をシャーシ１４の背面の一部を通じて放熱することができる。
【００５９】
詳しくは、放熱部材１８は、バックライト光源７０を支持する支持フレームとされており、複数の（ここでは一対の）放熱部材１８ａ，１８ｂとされている。一対の放熱部材１８ａ，１８ｂは、列方向Ｂに延びる長尺な部材とされている。一対の放熱部材１８ａ，１８ｂのうち、一方の放熱部材１８ａは、シャーシ１４の背面における行方向Ａの一方側の一部において列方向Ｂに沿って列方向Ｂの全体にわたってシャーシ１４を支持しており、他方の放熱部材１８ｂは、シャーシ１４の背面における行方向Ａの他方側の一部において列方向Ｂに沿って列方向Ｂの全体にわたってシャーシ１４を支持している。一対の放熱部材１８ａ，１８ｂは、シャーシ１４の背面において行方向Ａに均等に設けられている。そして、バックライト装置１２は、シャーシ１４を支持する一対の放熱部材１８ａ，１８ｂがテレビ受信装置ＴＶにおける裏側キャビネットＣｂに支持されるようになっている。
【００６０】
なお、放熱部材１８は、本第１実施形態では、一対の放熱部材１８ａ，１８ｂとされているが、例えば、表示画面の大きさに応じて、３以上の放熱部材や、単一の放熱部材とされていてもよい。すなわち、表示画面が大きくなるほど、放熱部材の数を増やしてもよい。
【００６１】
放熱部材１８が単一の放熱部材とされている場合、具体的には、シャーシ１４の背面における行方向Ａの中央に列方向Ｂに沿って、或いは、列方向Ｂの中央に行方向Ａに沿ってシャーシ１４を支持する構成を例示できる。
【００６２】
本第１実施形態において、ＬＥＤ基板２０は、シャーシ１４に設けられている。詳しくは、シャーシ１４の底板１４ａの内面側には、白色ＬＥＤ１７，…が取り付けられたＬＥＤ基板２０が設置されている。ＬＥＤ基板２０は、合成樹脂製の基板であり、その表面に銅箔などの金属膜からなる配線パターン（図示せず）が形成された構成とされる。
【００６３】
本第１実施形態において、ＬＥＤ基板２０は、行方向Ａに長い矩形状のものとされている。ＬＥＤ基板２０の表面には、配線パターン（図示せず）に加えて、複数の白色ＬＥＤ１７，…に対応して設けられた複数のランドパターン（図示せず）が形成されている。
【００６４】
本第１実施形態において、ＬＥＤ基板２０は、複数（ここでは４つ）のＬＥＤ基板２０ａ，２０ｂ，２０ｃ，２０ｄに分割（具体的には行方向Ａ及び列方向Ｂ方向にそれぞれ２分割されて合計４分割）されている。各ＬＥＤ基板２０ａ，２０ｂ，２０ｃ，２０ｄには、同数の白色ＬＥＤ１７，…が同一の配列状態で並設されている。
【００６５】
図４及び図５は、図２及び図３に示すバックライト装置１２の光学シート群１５を取り外した状態を正面から視た概略平面図である。図４は、バックライト装置１２における行方向Ａの一方側（左側）で列方向Ｂの両側（上下）に設けられた二つのＬＥＤ基板２０ａ，２０ｂ部分を示している。図５は、バックライト装置１２における行方向Ａの他方側（右側）で列方向Ｂの両側（上下）に設けられた二つのＬＥＤ基板２０ｃ，２０ｄ部分を示している。
【００６６】
図４及び図５に示すように、各ＬＥＤ基板２０ａ，２０ｂ，２０ｃ，２０ｄにおける白色ＬＥＤ１７，…は、予め設定されたピッチＰで等間隔にマトリクス（格子）状に（ここでは行方向Ａに２４個、列方向Ｂに１２個）配列されて実装されている。
【００６７】
なお、各ＬＥＤ基板２０ａ，２０ｂ，２０ｃ，２０ｄにおける白色ＬＥＤ１７，…は、マトリクス状の配列に限定されるものではなく、等間隔に配列されて実装されていれば、何れの配列構成であってもよい。
【００６８】
各白色ＬＥＤ１７，…は、何れも同一型式（すなわち同じ構成、構造）とされている。各白色ＬＥＤ１７，…は、ここでは、青色ＬＥＤ（発光）チップが赤色蛍光体及び緑色蛍光体を含有する封止樹脂で覆われた点状光源とされている。なお、蛍光体は黄色蛍光体でもよい。すなわち、白色ＬＥＤ１７は、青色ＬＥＤ（発光）チップが黄色の領域に発光ピークを持つ蛍光体を塗布することで白色発光するものとしてもよい。また、白色ＬＥＤ１７は、例えば、青色発光チップに、緑色および赤色の領域に発光ピークを持つ蛍光体を塗布することにより白色発光するものとしてもよい。
【００６９】
図６は、第１実施形態に係る液晶表示装置１０におけるバックライト装置１２の制御構成を示す概略ブロック図である。
【００７０】
図６に示すように、液晶表示装置１０は、画像受信部１０１及び画像処理部１０２をさらに備えている。また、バックライト装置１２は、バックライト制御部（光度制御手段の一例）１２１と、記憶部１２２とをさらに備えている。
【００７１】
画像受信部１０１は、チューナーＴ（図１参照）等の画像送信装置に接続されており、該画像送信装置から時系列的に送信される画像データを受信し、受信した画像データを、画像処理部１０２及びバックライト制御部１２１へそれぞれ出力するようになっている。
【００７２】
また、液晶パネル１１には、画像データに対応する制御データが１フレーム分ずつ時系列的に入力される。制御データには、画像データの各画素に対応する制御値が含まれている。ここで、各画素に対応する制御値とは、液晶パネル１１が、各画素の液晶部に印加すべき電圧を制御するためのものである。液晶パネル１１は、入力された制御データに従って、各画素の液晶部に電圧を印加する。各画素の液晶部に印加される電圧の電圧値が適切であれば、液晶パネル１１には、高画質の動画像が表示される。
【００７３】
画像処理部１０２は、入力された画像データに基づいて液晶パネル１１へ出力すべき制御データを生成し、生成した制御データを液晶パネル１１へ出力する。
【００７４】
バックライト制御部１２１は、ＣＰＵ（Central Processing Unit）等の処理部（図示せず）を備えている。記憶部１２２は、ＲＯＭ（Read Only Memory）やＲＡＭ（Random Access Memory）等の記憶メモリ（図示せず）を含み、各種制御プログラムや必要な関数およびテーブルや、後述する温度分布補正テーブルＴＢ１及び温度補正テーブルＴＢ２を含む各種のデータを記憶するようになっている。
【００７５】
本第１実施形態では、バックライト制御部１２１は、白色ＬＥＤ１７，…の光度（光量）を１個又は複数個単位（ここでは複数個単位）で個別に制御する機能を有している。
【００７６】
詳しくは、バックライト装置１２におけるバックライト光源７０の各白色ＬＥＤ１７，…は、バックライト制御部１２１から光度（光量）を示す光度信号が入力されることで、駆動制御される。
【００７７】
具体的には、バックライト制御部１２１は、図示を省略した調光回路を備えており、該調光回路によって、白色ＬＥＤ１７，…の点灯に必要な電力を供給してバックライト光源７０における白色ＬＥＤ１７，…を、後述する区画領域α（１，１），α（１，２），…毎に駆動制御するようになっている。
【００７８】
本第１実施形態では、バックライト制御部１２１は、外部からの制御信号を受け取って、白色ＬＥＤ１７，…に流れる駆動電流を変化させることで白色ＬＥＤ１７，…の光度を制御するようになっている。なお、バックライト制御部１２１にて白色ＬＥＤ１７，…を駆動制御する駆動方式としては、例えば、定電圧源と抵抗器とを用いた駆動方式や、定電流源を用いた駆動方式、或いは、白色ＬＥＤ１７，…への電圧パルス波のデューティー比を変化させて変調するＰＷＭ（パルス幅）変調を用いた駆動方式といった従来公知の駆動方式を適用できる。このため、ここでは、バックライト制御部１２１にて白色ＬＥＤ１７，…を駆動制御する駆動方式の詳しい説明は省略する。
【００７９】
図７は、バックライト光源７０におけるＬＥＤ基板２０において白色ＬＥＤ１７，…が区画された状態の一例を示す概略平面図である。また、図８は、図７において区画された一つの区画領域α（ｉ，ｊ）を示す概略平面図であって、６個単位で個別に駆動制御される白色ＬＥＤ１７，…を示す図である。なお、図７の区画領域α（ｉ，ｊ）内における数字のうち、左側に位置する数字はｉ（＝１からｍまでの整数）の値を示しており、右側に位置する数字はｊ（＝１からｎまでの整数）の値を示している。また、図８において区画領域α（ｉ，ｊ）は何れも同様の構成とされているために、ここでは一つの図で示している。
【００８０】
白色ＬＥＤ１７，…は、ＬＥＤ基板２０において行方向Ａにｍ区画（ｍは２以上の整数、ここではｍ＝１６区画）、かつ、列方向Ｂにｎ区画（ｎは２以上の整数、ここではｎ＝１２区画）のｍ×ｎ区画（ここでは１６区画×１２区画＝１９２区画）に矩形状に区切られている。詳しくは、白色ＬＥＤ１７，…は、ＬＥＤ基板２０から分割された各ＬＥＤ基板２０ａ〜２０ｄにおいて、行方向Ａにｍ／２区画（ここでは８区画）、かつ、列方向Ｂにｎ／２区画（ここでは６区画）で合計（ｍ×ｎ／４）区画（ここでは４８）区画に区切られている（図７参照）。
【００８１】
各区画領域α（ｉ，ｊ）には、ｋ個（ｋは２以上の整数）の白色ＬＥＤ１７，…が配線パターンＷによって直列に接続されている（図８参照）。ｋは（白色ＬＥＤの総数）を（ｍ×ｎ区画）で割った値であり、ここでは、６個（＝２４行×１２列×４枚／１９２区画）とされている。これにより、各区画領域α（ｉ，ｊ）における各白色ＬＥＤ１７，…は、各区画領域α（ｉ，ｊ）内においてバックライト制御部１２１による同一の駆動条件での駆動制御（具体的には同一の駆動電流での駆動制御）が行われることになる。
【００８２】
すなわち、バックライト制御部１２１は、各区画領域α（ｉ，ｊ）における白色ＬＥＤ１７，…へ出力した光度信号に応じた光度で各区画領域α（ｉ，ｊ）における白色ＬＥＤ１７，…を各区画領域α（ｉ，ｊ）内において同一の駆動条件で個別に点灯させる。なお、バックライト制御部１２１は、各区画領域α（ｉ，ｊ）における白色ＬＥＤ１７，…へ出力した光度信号が光度０を示す場合には、各区画領域α（ｉ，ｊ）における白色ＬＥＤ１７，…を個別に消灯させる。
【００８３】
本第１実施形態では、バックライト制御部１２１は、液晶表示装置１０の表示画像において区画された各表示領域ＬＣ，…の明暗と同期してバックライト装置１２の各区画領域α（ｉ，ｊ）のうち各表示領域ＬＣ，…に対応する区画領域の白色ＬＥＤ１７，…の光度を調整する領域毎調光制御（いわゆるローカルディミング制御或いはエリアアクティブ制御と称される調光制御）を行う。例えば、バックライト制御部１２１は、液晶表示装置１０の表示画像における各表示領域ＬＣ，…が暗い場合には、バックライト装置１２において、液晶表示装置１０の表示画像における暗い表示領域ＬＣ，…に対応する区画領域α（ｉ，ｊ）における白色ＬＥＤ１７，…を暗くする調光制御を行う。これにより、液晶表示装置１０の高コントラスト化かつ低消費電力化を実現することが可能となる。
【００８４】
詳しくは、バックライト制御部１２１は、入力された画像データに基づいて、各区画領域α（ｉ，ｊ）における白色ＬＥＤ１７，…の光度をそれぞれ演算し、演算した結果に応じた光度信号を各区画領域α（ｉ，ｊ）における白色ＬＥＤ１７，…にそれぞれ出力する。具体的には、バックライト制御部１２１は、画像データの画素値に基づき画像データが液晶パネル１１に入力された場合に、バックライト装置１２における各区画領域α（ｉ，ｊ）に対応する液晶パネル１１の矩形表示される各表示領域ＬＣ，…に表示される画像の明るさ及び色等を演算し、演算した結果に応じて、液晶パネル１１の各表示領域ＬＣ，…を照明する各区画領域α（ｉ，ｊ）における白色ＬＥＤ１７，…の光度を演算し、演算結果に応じた輝度信号を各区画領域α（ｉ，ｊ）における白色ＬＥＤ１７，…にそれぞれ出力する。
【００８５】
かかる制御構成を備えたバックライト装置１２は、液晶パネル１１の各表示領域ＬＣ，…を、表示領域ＬＣ，…に表示される動画像の色及び明るさ等に適した輝度となるような光度で照明する。具体的には、バックライト装置１２は、明るい動画、又は、目立つ色の動画が表示される液晶パネル１１の表示領域ＬＣ，…（すなわち、ユーザが注目し易い領域）に対して高い輝度となるような光度で照明する一方、暗い動画、又は、目立たない色の動画が表示される液晶パネル１１の表示領域ＬＣ，…（すなわち、ユーザが注目し難い領域）に対して低い輝度となるような光度で照明する。
【００８６】
ところで、バックライト装置１２において、バックライト光源７０における温度飽和時（温度が最も高い時）の温度分布特性が均一でないと、バックライト光源７０の発光面における輝度が不均一となり、該発光面において輝度ムラが発生することがある。
【００８７】
図９は、第１実施形態に係るバックライト装置１２における温度飽和時のバックライト光源７０を正面から測定したサーモグラフィの測定結果を示す温度分布図である。なお、図９において、色が濃くなっているほど温度が高いことを表している。また、破線は放熱部材１８ａ，１８ｂを表している。
【００８８】
図９に示す温度分布では、バックライト光源７０の発光面のうち、放熱部材１８ａ，１８ｂの部分の温度が隣接する部分の温度に比べて概ね３℃〜５℃程度低くなっており、また、下側の温度よりも上側の温度の方が高くなっており、最も低いところと最も高いところとの温度差が１１℃程度であることが分かった。
【００８９】
本第１実施形態では、バックライト光源７０における白色ＬＥＤ１７，…の位置情報として、区画領域α（ｉ，ｊ）がその領域内にある白色ＬＥＤ１７，…に対応づけられて予め記憶部１２２（図６参照）に記憶されている。そして、白色ＬＥＤ１７，…に対応づけられた区画領域α（ｉ，ｊ）に対するバックライト光源７０における温度分布特性を示す補正テーブルとして温度分布補正テーブルＴＢ１が予め記憶部１２２に記憶されている。
【００９０】
図１０は、バックライト光源７０の温度分布特性を示す温度分布補正テーブルＴＢ１のデータ構造を示す概略構成図である。なお、図１０において斜線部は放熱部材２０ａ，２０ｂに対応する部分を示している。
【００９１】
図１０に示すように、温度分布補正テーブルＴＢ１には、白色ＬＥＤ１７，…の温度飽和時の各区画領域α（ｉ，ｊ）における設定温度が設定されている。
【００９２】
一方、ＬＥＤは、一般的に、温度と光度との関係が負の相関関係を示す特性を有しているものが多い。
【００９３】
図１１は、バックライト光源７０に設けられる白色ＬＥＤ１７の周囲温度と相対光度との関係を示すグラフである。なお、図１１において、縦軸は、白色ＬＥＤ１７を一定の基準光度信号（ここでは基準電流（具体的には２０ｍＡ））で駆動して周囲温度が２５℃のときでの白色ＬＥＤ１７の光度を１とした場合の相対光度（割合）を示している。なお、基準光度信号は、前記した領域毎調光制御が行われていないときの基準となる光度信号である。
【００９４】
ここで、バックライト装置１２における個々の白色ＬＥＤ１７，…は、既述したように、何れも同一型式（すなわち同じ構成、構造）のＬＥＤであり、周囲温度と相対光度との関係が何れも同等の関係を示すため、図１１では、バックライト装置１２における一つの白色ＬＥＤ１７に代表させて示している。
【００９５】
図１１に示すように、バックライト光源７０における白色ＬＥＤ１７は、周囲温度が上昇するに伴って相対光度が小さくなる特性（負の相関関係を示す特性）を有している。
【００９６】
具体的には、個々の白色ＬＥＤ１７，…は、温度と光度との関係が負の相関関係を示す特性を有している。例えば、個々の白色ＬＥＤ１７，…は、自己発熱により、素子（周辺）の温度が上昇するに伴って光度（光量）が減少する。
【００９７】
かかる観点から、バックライト制御部１２１は、温度分布補正テーブルＴＢ１（図１０参照）の温度分布特性における各白色ＬＥＤ１７，…に対応する区画領域α（ｉ，ｊ）での設定温度と、基準温度との温度差に応じて各白色ＬＥＤ１７，…を駆動制御する。
【００９８】
本第１実施形態において、バックライト制御部１２１は、温度と光度との関係が負の相関関係を示す特性を有する白色ＬＥＤ１７，…のうち、設定温度が基準温度よりも低い白色ＬＥＤ１７に対して設定温度と基準温度との温度差に対応する分だけ白色ＬＥＤ１７の光度を小さくするようになっている。そして、基準温度は、温度分布補正テーブルＴＢ１の温度分布特性における設定温度のうち最大の設定温度（具体的には４５℃）とされている。
【００９９】
具体的には、最大の設定温度（具体的には４５℃）を基準とした温度補正テーブルＴＢ２が予め記憶部１２２（図６参照）に記憶されている。
【０１００】
図１２は、最大の設定温度を基準とした温度補正テーブルＴＢ２のデータ構造を示す概略構成図である。
【０１０１】
図１２に示すように、温度補正テーブルＴＢ２には、最大の設定温度（具体的には４５℃）における白色ＬＥＤ１７，…の光度信号が基準光度信号（具体的には基準電流２０ｍＡ）になるように光度倍率（具体的には基準電流の電流倍率）が各設定温度に対して図１１に示す負の相関関係とは逆の正の相関関係を示す値に設定されている。
【０１０２】
ここで「正の相関関係」とは、温度の上昇に伴い光度倍率が大きくなり、温度の低下に伴い光度倍率が小さくなる関係である。
【０１０３】
図１３は、第１実施形態に係るバックライト装置１２のバックライト制御部１２１による区画領域α（ｉ，ｊ）における白色ＬＥＤ１７，…の輝度制御の一例を示すフローチャートである。
【０１０４】
図１３に示すように、バックライト制御部１２１は、先ず、初期処理として変数ｉ，ｊに１を代入した後（ステップＳ１）、温度分布補正テーブルＴＢ１（図１０参照）の区画領域α（ｉ，ｊ）（ｉ＝１，ｊ＝１）から設定温度のデータとして４１℃を取得し（ステップＳ２）、ステップＳ２で取得した設定温度のデータ４１℃を用いて温度補正テーブルＴＢ２（図１２参照）の設定温度４１℃から電流倍率のデータとして０．９６９を取得する（ステップＳ３）。次に、バックライト制御部１２１は、ステップＳ３で取得した電流倍率のデータ（０．９６９）と基準電流（２０ｍＡ）とを掛け合わせて駆動電流１９．３８ｍＡを算出し（ステップＳ４）、算出した駆動電流（１９．３８ｍＡ）で区画領域α（１，１）における各白色ＬＥＤ１７，…を駆動する（ステップＳ５）。
【０１０５】
以下同様にして、バックライト制御部１２１は、区画領域α（１，２）〜区画領域α（ｍ、ｎ）についても、駆動電流を算出し、算出した駆動電流で区画領域α（１，２）〜区画領域α（ｍ、ｎ）における各白色ＬＥＤ１７，…を駆動する。すなわち、バックライト制御部１２１は、ｊがｎ（＝１２）に達したか否かを判断し（ステップＳ６）、ｊがｎに達していない場合には（ステップＳ６：Ｎｏ）、ｊに１を加算して（ステップＳ７）、ステップＳ２に移行する一方、ｊがｎに達した場合には（ステップＳ６：Ｙｅｓ）、ステップＳ８に移行する。次に、バックライト制御部１２１は、ｉがｍ（＝１６）に達したか否かを判断し（ステップＳ８）、ｉがｍに達していない場合には（ステップＳ８：Ｎｏ）、ｊに１を代入し、ｉに１を加算して（ステップＳ９）、ステップＳ２に移行する一方、ｉがｍに達した場合には（ステップＳ８：Ｙｅｓ）、処理を終了する。
【０１０６】
なお、温度分布補正テーブルＴＢ１に設定される設定温度及び温度補正テーブルＴＢ２に設定される電流倍率は予め実験等で求めることができる。温度補正テーブルＴＢ２に設定される電流倍率はＬＥＤに付与される仕様書のデータを利用してもよい。
【０１０７】
また、温度補正テーブルＴＢ２は、個々の白色ＬＥＤ１７，…毎に記憶部１２２に記憶されていて、白色ＬＥＤ１７，…の光度を１個単位で個別に制御してもよいが、白色ＬＥＤ１７，…は、ここでは、何れも同一型式（すなわち同じ構成、構造）のＬＥＤであるので、１種類のデータが記憶とされている。これにより、白色ＬＥＤ１７，…の光度を効率的に補正することができる。
【０１０８】
また、白色ＬＥＤ１７，…は、温度と光度の相関関係が異なるものと区別される（通常は型式の異なる）複数種類のＬＥＤとされている場合には、温度補正テーブルＴＢ２は、ＬＥＤの温度と光度の相関関係が異なるものと区別される種類毎（通常はＬＥＤの型式毎）に設定することができる。この場合、温度補正テーブルＴＢ２の種類と白色ＬＥＤ１７の位置情報とを対応付けて予め記憶部１２２に記憶させておくことができる。
【０１０９】
これらのことは、後述する第２実施形態、第３実施形態及び第４実施形態についても同様である。
【０１１０】
以上説明したように、本第１実施形態によると、バックライト制御部１２１が温度分布補正テーブルＴＢ１に記憶された設定温度から温度補正テーブルＴＢ２の電流倍率を取得し、取得した電流倍率と基準電流（具体的には２０ｍＡ）とから駆動電流を取得し、取得した駆動電流によって白色ＬＥＤ１７，…を駆動するので、従来の如く、ＬＥＤの温度を検出する温度検出手段を設ける必要がない。従って、制御構成の複雑化かつ大型化を招くことがなく、バックライト光源７０の温度分布特性の不均一性に関わらずバックライト光源７０の発光面における輝度を均一にすることができる。
【０１１１】
また、本第１実施形態では、液晶表示装置１０の表示画像における各表示領域ＬＣ，…の明暗に基づいて白色ＬＥＤ１７，…のうち各表示領域ＬＣ，…に対応する白色ＬＥＤ１７，…の光度を制御するので、バックライト光源７０の温度分布特性の不均一性に関わらずバックライト光源７０の発光面における輝度を均一にして、各表示領域ＬＣ，…の明暗に基づく各表示領域ＬＣ，…に対応する白色ＬＥＤ１７，…の光度の制御を行うことができ、これにより、液晶表示装置１０の高コントラスト化かつ低消費電力化の実現を安定して行うことが可能となる。
【０１１２】
また、本第１実施形態では、バックライト光源７０の発光面とは反対側の背面の一部に放熱部材１８（１８ａ，１８ｂ）が設けられており、放熱部材１８（１８ａ，１８ｂ）が金属部材とされており、さらに、放熱部材１８（１８ａ，１８ｂ）がバックライト光源７０を支持する支持フレームとされているので、前記した作用効果が特に有効となる。
【０１１３】
また、本第１実施形態では、バックライト制御部１２１が設定温度と基準温度（具体的には４５℃）との温度差に応じて白色ＬＥＤ１７，…を駆動するので、簡単な制御構成でバックライト光源７０の発光面における輝度を均一にすることができる。
【０１１４】
また、本第１実施形態では、バックライト制御部１２１は、温度と光度との関係が負の相関関係を示す特性を有する白色ＬＥＤ１７，…のうち、設定温度が基準温度（具体的には４５℃）よりも低い白色ＬＥＤ１７に対して設定温度と基準温度（具体的には４５℃）との温度差に対応する分だけ白色ＬＥＤ１７，…の光度を小さくするので、それだけ全体の消費電力を低く抑えた状態で、バックライト光源７０の発光面における輝度を均一にすることができる。
【０１１５】
また、本第１実施形態では、基準温度が温度分布補正テーブルＴＢ１の温度分布特性における設定温度のうち最大の設定温度（具体的には４５℃）とされていることで、例えば、発光時に最大の光度で発光する白色ＬＥＤ１７に効果的に適用することができる。
【０１１６】
また、本第１実施形態において、バックライト制御部１２１は、温度と光度との関係が負の相関関係を示す特性を有する白色ＬＥＤ１７，…のうち、設定温度が基準温度よりも高い白色ＬＥＤ１７に対して設定温度と基準温度との温度差に対応する分だけ白色ＬＥＤ１７の光度を大きくするようになっていてもよい。そして、基準温度は、温度分布補正テーブルＴＢ１の温度分布特性における設定温度のうち最大の設定温度より小さい温度とされていてもよい。
【０１１７】
ここで、基準温度を、温度分布補正テーブルＴＢ１の温度分布特性における設定温度のうち中程の設定温度（具体的には３９℃）とした場合を例にとって説明すると、中程の設定温度（具体的には３９℃）を基準とした温度補正テーブルＴＢ２が予め記憶部１２２に記憶される。
【０１１８】
図１４は、中程の設定温度を基準とした温度補正テーブルＴＢ２のデータ構造を示す概略構成図である。
【０１１９】
図１４に示すように、温度補正テーブルＴＢ２には、中程の設定温度（具体的には３９℃）における白色ＬＥＤ１７，…の光度信号が基準光度信号（具体的には基準電流２０ｍＡ）になるように光度倍率（具体的には基準電流の電流倍率）が各設定温度に対して図１１に示す負の相関関係とは逆の正の相関関係を示す値に設定されている。
【０１２０】
かかる構成を備えたバックライト装置１２では、例えば、バックライト制御部１２１は、温度分布補正テーブルＴＢ１（図１０参照）の区画領域α（１，１）から設定温度として４１℃を取得し（図１３のステップＳ２参照）、取得した設定温度４１℃を用いて温度補正テーブルＴＢ２（図１４参照）の設定温度４１℃から電流倍率として１．０１６を取得する（図１３のステップＳ３参照）。また、バックライト制御部１２１は、取得した電流倍率（１．０１６）と基準電流（２０ｍＡ）とを掛け合わせて駆動電流２０．３２ｍＡを算出し（図１３のステップＳ４参照）、算出した駆動電流（２０．３２ｍＡ）で区画領域α（１，１）における各白色ＬＥＤ１７，…を駆動する（図１３のステップＳ５参照）。
【０１２１】
以下同様にして、バックライト制御部１２１は、区画領域α（１，２）〜区画領域α（ｍ、ｎ）についても、駆動電流を算出し、算出した駆動電流で区画領域α（１，２）〜区画領域α（ｍ、ｎ）における各白色ＬＥＤ１７，…を駆動する。
【０１２２】
このように、バックライト制御部１２１が、温度と光度との関係が負の相関関係を示す特性を有する白色ＬＥＤ１７，…のうち、設定温度が基準温度（具体的には３９℃）よりも高い白色ＬＥＤ１７に対して設定温度と基準温度（具体的には３９℃）との温度差に対応する分だけ白色ＬＥＤ１７の光度を大きくすることで、それだけバックライト光源７０の発光面における全体の輝度を大きくした状態で、バックライト光源７０の発光面における輝度を均一にすることができる。
【０１２３】
なお、基準温度を中程の設定温度（具体的には３９℃）とした場合において、バックライト制御部１２１は、設定温度が基準温度（具体的には３９℃）よりも低い場合には、前記したように、設定温度が基準温度（具体的には３９℃）よりも低い白色ＬＥＤ１７に対して設定温度と基準温度との温度差に対応する分だけ白色ＬＥＤ１７の光度を小さくする。
【０１２４】
また、本第１実施形態において、バックライト装置１２は、放熱部材１８（１８ａ，１８ｂ）に代えて、或いは、加えて冷却ファン（冷却装置の一例）１９（後述する図１５参照）を備えていている。
【０１２５】
図１５は、図１に示すバックライト装置１２におけるバックライト光源７０に冷却ファン１９が設けられている状態を示す分解斜視図である。
【０１２６】
図１５に示すように、冷却ファン１９は、バックライト光源７０の発光面とは反対側の背面（具体的にはシャーシ１４の背面）の一部に設けられている。これにより、冷却ファン１９は、バックライト装置１２の本体で発生する熱をシャーシ１４の背面から放熱することができる。
【０１２７】
詳しくは、バックライト光源７０においては上部の方が高温になり易いことから（図９及び図１０）、冷却ファン１９は、行方向Ａの中央部において上部に取り付けられている。そして、冷却ファン１９は、シャーシ１４とテレビ受信装置ＴＶにおける裏側キャビネットＣｂとの間に配設されてバックライト装置１２の本体で発生する熱を裏側キャビネットＣｂから外部へ排出するようになっている。なお、本第１実施形態では、冷却ファン１９は、単一の冷却ファンとされているが、複数の冷却ファンとされていてもよい。
【０１２８】
（第２実施形態）
次に、第２実施形態に係る液晶表示装置１０Ａについて図１６から図２６を参照しながら以下に説明する。なお、図１６から図２６において、第１実施形態で説明した構成要素と実質的に同じ構成要素については同一符号を付し、その説明を省略する。
【０１２９】
本第２実施形態に係る液晶表示装置１０Ａは、後述するように、バックライト装置１２の姿勢（すなわち、液晶表示装置１０Ａの姿勢）が変化した場合に発生し得るバックライト光源７０の発光面における輝度ムラを解消するようにしたものである。
【０１３０】
図１６は、第２実施形態に係る液晶表示装置１０Ａの姿勢を変更する構成とされたスタンドＳｄを備えたテレビ受信装置ＴＶの概略構成を示す分解斜視図である。
【０１３１】
図１６に示すように、スタンドＳｄは、水平方向に沿った第１回転軸Ｑｘ回りに回転自在、かつ、第１回転軸Ｑｘに直交する第２回転軸Ｑｙ回りに回転自在に裏側キャビネットＣｂを支持する回転機構Ｓｄ１と、回転機構Ｓｄ１を介して液晶表示装置１０Ａを床に設置する設置台Ｓｄ２とを備えている。
【０１３２】
図１７は、第２実施形態に係る液晶表示装置１０Ａの姿勢を変化させる回転機構Ｓｄ１部分を示す概略斜視図である。図１７（ａ）は、裏側キャビネットＣｂを固定する固定面Ｓｄ１ｃがＸ軸方向ＸとＺ軸方向Ｚとの双方に沿っている状態を示している。図１７（ｂ）は、固定面Ｓｄ１ｃがＸ軸方向ＸとＹ軸方向Ｙとの双方に沿っている状態を示している。
【０１３３】
図１７に示すように、回転機構Ｓｄ１は、設置台Ｓｄ２の上端部Ｓｄ２ａに対して第１回転軸Ｑｘ回りに回転自在に設けられた第１回転部材Ｓｄ１ａと、第１回転部材Ｓｄ１ｂに対して第２回転軸Ｑｙ回りに回転自在に設けられた第２回転部材Ｓｄ１ｂとを備えている。ここで、第１回転部材Ｓｄ１ａは、設置台Ｓｄ２の上端部Ｓｄ２ａに対して図示を省略した第１係止機構によって予め定めた所定の回転角度で複数段階に段階的に係止できるようになっている。また、第２回転部材Ｓｄ１ｂは、第１回転部材Ｓｄ１ａに対して図示を省略した第２係止機構によって予め定めた所定の回転角度で複数段階に段階的に係止できるようになっている。
【０１３４】
なお、設置台Ｓｄ２は、上端部Ｓｄ２ａが下端側に対して水平方向に直交する垂直方向に沿った第３回転軸（図示せず）回りに回転自在とされ、複数段階に段階的に係止できるようになっていてもよい。
【０１３５】
また、本第２実施形態に係る液晶表示装置１０Ａにおいて、バックライト装置１２は、例えば、第１実施形態の構成のように、一対の放熱部材１８ａ，１８ｂが設けられていてもよいし、一対の放熱部材１８ａ，１８ｂに加えて、中間放熱部材１８ｃ（図１８参照）がさらに設けられていてもよい。
【０１３６】
図１８は、一対の放熱部材１８ａ，１８ｂに加えて、中間放熱部材１８ｃがさらに設けられたバックライト装置１２を備えた液晶表示装置１０Ａを概略的に示す斜視図である。
【０１３７】
図１８に示すバックライト装置１２では、中間放熱部材１８ｃは、シャーシ１４に対して、一対の放熱部材１８ａ，１８ｂの長手方向の中央部において一対の放熱部材１８ａ，１８ｂと直交又は略直交する方向に沿って一対の放熱部材１８ａ，１８ｂを連結するように両者の間に設けられている。
【０１３８】
ところで、液晶表示装置１０Ａの姿勢が変化すると、フレーム１６（図２参照）や放熱部材１８ａ，１８ｂ等の構成部材の配置状態、内部機構の凹凸、表側及び裏側キャビネットＣａ，Ｃｂ（図１７参照）に設けられた通気口の位置といったテレビ受信装置ＴＶの構成状態に応じて温度分布特性が変化し、これにより、液晶表示装置１０Ａの姿勢変化の前後で個々の白色ＬＥＤ１７，…が受ける熱の影響に差異が生じることがある。そうすると、液晶表示装置１０Ａの姿勢変化によって、個々の白色ＬＥＤ１７，…の発光効率が異なってしまい、従って、バックライト光源７０の発光面における輝度ムラを招く。
【０１３９】
図１９は、一対の放熱部材１８ａ，１８ｂが設けられた液晶表示装置１０Ａを備えたテレビ受信装置ＴＶの姿勢変化により熱が溜まりやすい部分βを模式的に示す概略斜視図である。図２０は、一対の放熱部材１８ａ，１８ｂに加えて、中間放熱部材１８ｃがさらに設けられた液晶表示装置１０Ａを備えたテレビ受信装置ＴＶの姿勢変化により熱が溜まりやすい部分βを模式的に示す概略斜視図である。図１９（ａ）及び図２０（ａ）は、液晶表示装置１０Ａの短手方向がＺ軸方向Ｚに沿っている横置き姿勢を示している。図１９（ｂ）及び図２０（ｂ）は、液晶表示装置１０Ａの長手方向がＺ軸方向Ｚに沿っている縦置き姿勢を示している。また、図１９（ｃ）及び図２０（ｃ）は、液晶表示装置１０Ａの厚み方向がＺ軸方向Ｚに沿っている水平置き姿勢を示している。
【０１４０】
図１９（ａ）及び図２０（ａ）に示すように、液晶表示装置１０Ａの短手方向がＺ軸方向Ｚに沿っている横置き姿勢では、熱は長手方向の頂面の下方部分及び図２０（ａ）の例ではさらに中間放熱部材１８ｃの下方部分に溜まりやすい。図１９（ｂ）及び図２０（ｂ）に示すように、液晶表示装置１０Ａの長手方向がＺ軸方向Ｚに沿っている縦置き姿勢では、熱は短手方向の頂面の下方部分及び一対の放熱部材１８ａ，１８ｂの下方部分に溜まりやすい。また、図１９（ｃ）及び図２０（ｃ）に示すように、液晶表示装置１０Ａの厚み方向がＺ軸方向Ｚに沿っている水平置き姿勢では、熱は表示画面に全体的に溜まりやすい。
【０１４１】
かかる観点から、本第２実施形態では、液晶表示装置１０Ａは、液晶表示装置１０Ａの姿勢を検出する姿勢検出部（姿勢検出手段の一例）３０（図２１参照）をさらに備えている。
【０１４２】
姿勢検出部３０としては、第１回転軸Ｑｘ回りの回動姿勢及び第２回転軸Ｑｙ回りの回動姿勢（具体的には、液晶表示装置１０ＡのＸ軸とＺ軸との間の第１回転角度θｘ（図１６及び図１７参照）、及び、液晶表示装置１０ＡのＹ軸とＺ軸との間の第２回転角度θｙ（図１６及び図１７参照））を少なくとも検出できるものを例示できる。ここでは、姿勢検出部３０は、第１回転角度θｘ及び第２回転角度θｙを検出するようになっている。なお、姿勢検出部３０は、第１回転軸Ｑｘ回りの回動姿勢と、第２回転軸Ｑｙ回りの回動姿勢とに加えて、Ｚ軸方向Ｚに沿った図示しない第３回転軸回りの回動姿勢（具体的には、第１回転角度θｘと第２回転角度θｙとに加えて、Ｘ軸とＹ軸との間の第３回転角度θｚ（図１６及び図１７参照））を検出するようになっていてもよい。
【０１４３】
第１回転角度θｘと第２回転角度θｙとを検知する姿勢検出部３０としては、例えば、３次元（３軸）ジャイロセンサを備えたもの、３次元（３軸）重力加速度センサを備えたもの、ロータリーエンコーダーやポテンショメータ（可変抵抗器）等の回転角度センサを備えたものを挙げることができる。
【０１４４】
姿勢検出部３０が３次元ジャイロセンサを備えている場合、姿勢検出部３０は、重力加速度センサで重力方向を検出しながら３次元ジャイロセンサからの検知データ（第１回転角度θｘに対応する回転角速度ωｘのデータ及び第２回転角度θｙに対応する回転角速度ωｙのデータ）を積分演算処理することにより第１回転角度θｘと第２回転角度θｙとを検出する角度検出部（角度検出手段の一例）をさらに備えることができる。また、姿勢検出部３０が３次元重力加速度センサを備えている場合、姿勢検出部３０は、３次元重力加速度センサからの検知データ（第１回転角度θｘのデータ及び第２回転角度θｙのデータ）により第１回転角度θｘと第２回転角度θｙとを検出する角度検出部（角度検出手段の一例）をさらに備えることができる。さらに、姿勢検出部３０が回転角度センサを備えている場合、姿勢検出部３０は、第１回転角度θｘを検知する第１回転角度センサからの検知データ（第１回転角度θｘのデータ）と第２回転角度θｙを検知する第２回転角度センサからの検知データ（第２回転角度θｙのデータ）とにより第１回転角度θｘと第２回転角度θｙとを検出する角度検出部（角度検出手段の一例）をさらに備えることができる。
【０１４５】
以下、一対の放熱部材１８ａ，１８ｂに加えて、中間放熱部材１８ｃがさらに設けられた図２０に示す構成の液晶表示装置１０Ａにおいて、姿勢検出部３０が３次元ジャイロセンサ３１（図２１参照）を備えている場合を例にとって説明する。
【０１４６】
図２１は、第２実施形態に係る液晶表示装置１０Ａにおけるバックライト装置１２の制御構成を示す概略ブロック図である。
【０１４７】
図２１に示すように、姿勢検出部３０は、Ｘ軸とＺ軸（図１６及び図１７参照）との間の回転角速度ωｘ及びＹ軸とＺ軸（図１６及び図１７参照）との間の回転角速度ωｙを検知する３次元ジャイロセンサ３１と、重力方向を検知する重力加速度センサ３２と、重力加速度センサ３２にて検知した重力方向を基に３次元ジャイロセンサ３１からの検知データ（回転角速度ωｘのデータ及び回転角速度ωｙのデータ）を積分演算処理することにより第１回転角度θｘ及び第２回転角度θｙを検出する角度検出部３３とを備えている。
【０１４８】
本第２実施形態では、第１実施形態の温度分布補正テーブルＴＢ１に代えて、液晶表示装置１０Ａの予め定めたｐパターン（ｐは２以上の整数、ここではｐ＝３）の姿勢毎に、白色ＬＥＤ１７，…に対応づけられた区画領域α（ｉ，ｊ）に対するバックライト光源７０における温度分布特性を示す第１から第ｐ温度分布補正テーブルＴＢ１（１）〜ＴＢ１（ｐ）が予め記憶部１２２（図２１参照）に記憶されている。
【０１４９】
具体的には、液晶表示装置１０Ａの横置き姿勢（図２０（ａ）参照）を基準姿勢（０°）とした場合、姿勢検出部３０は、第１回転角度θｘが０°以上±４５°未満、かつ、第２回転角度θｙが０°以上±４５°未満のときに横置き姿勢を検出し、第１回転角度θｘが±４５°以上±９０°以下、かつ、第２回転角度θｙが０°以上±４５°未満のときに縦置き姿勢（図２０（ｂ）参照）を検出し、第２回転角度θｙが±４５°以上±９０°以下のときに水平置き姿勢（図２０（ｃ）参照）を検出する。
【０１５０】
そして、記憶部１２２には、液晶表示装置１０Ａの横置き姿勢に対応する第１温度分布補正テーブルＴＢ１（１）と、液晶表示装置１０Ａの縦置き姿勢に対応する第２温度分布補正テーブルＴＢ１（２）と、液晶表示装置１０Ａの水平置き姿勢に対応する第３温度分布補正テーブルＴＢ１（３）が記憶されている。
【０１５１】
図２２、図２３及び図２４は、それぞれ、液晶表示装置１０Ａの横置き姿勢、縦置き姿勢及び水平置き姿勢に対応する第１温度分布補正テーブルＴＢ１（１）、第２温度分布補正テーブルＴＢ１（２）及び第３温度分布補正テーブルＴＢ１（３）のデータ構造を示す概略構成図である。なお、図２２、図２３及び図２４において斜線部は放熱部材２０ａ，２０ｂ，２０ｃに対応する部分を示しており、破線部βは熱が溜まりやすい部分を示している。
【０１５２】
図２２、図２３及び図２４に示すように、第１温度分布補正テーブルＴＢ１（１）、第２温度分布補正テーブルＴＢ１（２）及び第３温度分布補正テーブルＴＢ１（３）には、白色ＬＥＤ１７，…の温度飽和時の各区画領域α（ｉ，ｊ）における設定温度が設定されている。
【０１５３】
バックライト制御部１２１（図２１参照）は、姿勢検出部３０からの検出データにより、液晶表示装置１０Ａの複数（ここでは３パターン）の姿勢毎に設定した第１温度分布補正テーブルＴＢ１（１）（図２２参照）、第２温度分布補正テーブルＴＢ１（２）（図２３参照）及び第３温度分布補正テーブルＴＢ１（３）（図２４参照）のうち何れか一つ（姿勢検出部３０からの検出データに対応した温度分布補正テーブル）を選択し、選択した温度分布補正テーブルの温度分布特性における各白色ＬＥＤ１７，…に対応する区画領域α（ｉ，ｊ）での設定温度と、基準温度との温度差に応じて各白色ＬＥＤ１７，…を駆動制御する。
【０１５４】
図２５及び図２６は、それぞれ、第２実施形態に係るバックライト装置１２のバックライト制御部１２１による区画領域α（ｉ，ｊ）における白色ＬＥＤ１７，…の輝度制御の一例を示す前半部分及び後半部分のフローチャートである。
【０１５５】
図２５及び図２６に示す第２実施形態のフローチャートは、図１３に示す第１実施形態のフローチャート（図２６参照）において、ステップＳ１の処理の前にステップＳ１ａ〜Ｓ６ａの処理（図２５参照）を設けたものである。以下、図１３に示す第１実施形態のフローチャートとは異なる点を中心に説明する。
【０１５６】
図２５に示す第２実施形態のフローチャートにおいて、バックライト制御部１２１は、先ず、姿勢検出部３０によって液晶表示装置１０Ａの姿勢を検出し（ステップＳ１ａ）、横置き姿勢を検出した場合には（ステップＳ２ａ：Ｙｅｓ）、横置き姿勢に対応する第１温度分布補正テーブルＴＢ１（１）を選択し（ステップＳ３ａ）、図２６に示すステップＳ１に移行する。一方、図２５に示すステップＳ２ａで横置き姿勢を検出せずに（ステップＳ２ａ：Ｎｏ）、縦置き姿勢を検出した場合には（ステップＳ４ａ：Ｙｅｓ）、縦置き姿勢に対応する第２温度分布補正テーブルＴＢ１（２）を選択し（ステップＳ５ａ）、図２６に示すステップＳ１に移行する。さらに、図２５に示すステップＳ４ａで縦置き姿勢を検出しなかった場合には（ステップＳ４ａ：Ｎｏ）、水平置き姿勢に対応する第３温度分布補正テーブルＴＢ１（３）を選択し（ステップＳ６ａ）、図２６に示すステップＳ１に移行する。
【０１５７】
以上説明したように、本第２実施形態によると、第１実施形態で説明した利点に加えて、液晶表示装置１０Ａの姿勢が変化することにより、フレーム１６や放熱部材１８ａ，１８ｂ等の構成部材の配置状態、内部機構の凹凸、表側及び裏側キャビネットＣａ，Ｃｂに設けられた通気口の位置といったテレビ受信装置ＴＶの構成状態に応じて温度分布特性（図１９及び図２０参照）が変化し、これにより、液晶表示装置１０Ａの姿勢変化の前後で個々の白色ＬＥＤ１７が受ける熱の影響に差異が生じても、バックライト制御部１２１は、姿勢検出部３０からの検出データにより、液晶表示装置１０Ａの複数（ここでは３パターン）の姿勢毎に設定した第１温度分布補正テーブルＴＢ１（１）（図２２参照）、第２温度分布補正テーブルＴＢ１（２）（図２３参照）及び第３温度分布補正テーブルＴＢ１（３）（図２４参照）のうち何れか一つ（姿勢検出部３０からの検出データに対応した温度分布補正テーブル）を選択し、選択した温度分布補正テーブルの温度分布特性における各白色ＬＥＤ１７，…に対応する区画領域α（ｉ，ｊ）での設定温度と、基準温度との温度差に応じて各白色ＬＥＤ１７，…を駆動制御することで、液晶表示装置１０Ａの姿勢変化によっても、個々の白色ＬＥＤ１７，…の発光効率を均一にすることができ、従って、たとえ液晶表示装置１０Ａの姿勢が変化してもバックライト光源７０の発光面における輝度を均一にすることができる。
【０１５８】
しかも、本第２実施形態では、角度検出部３３により、液晶表示装置１０ＡのＸ軸とＺ軸との間の第１回転角度θｘ、及び、液晶表示装置１０ＡのＹ軸とＺ軸との間の第２回転角度θｙを検出することができ、これにより、液晶表示装置１０Ａの様々な姿勢を精度良く検出することができ、従って、液晶表示装置１０Ａの様々な姿勢に対応させることが可能となる。
【０１５９】
なお、本第２実施形態では、液晶表示装置１０Ａの姿勢を変更させるスタンドＳｄに液晶表示装置１０Ａを設置したテレビ受信装置ＴＶに適用したが、ポータブルタイプの電子機器に液晶表示装置１０Ａを適用してもよいし、或いは、表示画面が傾斜するように表示装置を姿勢変更可能とした表示ボード（例えば、電子ホワイトボードや電子黒板、電子掲示板といった表示ボード或いは手書きボード）や、表示画面が垂直となる垂直姿勢と水平となる水平姿勢との間で表示装置を姿勢変更可能とした表示ボード兼テーブル（例えば、手書きボードとしての使用とタッチテーブルとしての使用とを併用できるもの）に液晶表示装置１０Ａを適用してもよい。
【０１６０】
ところで、バックライト光源７０は、本第１実施形態及び第２実施形態では、白色ＬＥＤ１７が基板２０上に搭載された青色を単色発光する青色ＬＥＤチップの周囲を赤色蛍光体及び緑色蛍光体が配合された透光性封止樹脂で封止することで白色発光するものとされているが、互いに異なる複数色のＬＥＤからの光を組み合わせることにより（具体的には青色発光チップに、緑色の領域に発光ピークを持つ蛍光体を塗布し、かつ、赤色チップを組み合わせたり、赤色ＬＥＤ、青色ＬＥＤ及び緑色ＬＥＤを組み合わせたりすることにより）予め設定した規定色（具体的には白色）を発光する光源としてもよい。
【０１６１】
このように、バックライト光源７０を、互いに異なる複数色のＬＥＤからの光を組み合わせることにより規定色（具体的には白色）を発光する光源とした場合には、温度と光度の相関関係が異なるものと区別される複数色のＬＥＤ間で温度変化によって光度の割合が変化することにより、規定色の色相が変化し易い。このことは、複数色のＬＥＤ間で温度と光度の相関関係の違い（具体的には比例係数（傾き）の違い）が大きいほど顕著となる。
【０１６２】
（第３実施形態及び第４実施形態）
次に、第１実施形態及び第２実施形態に係る液晶表示装置１０，１０Ａにおいてバックライト装置１２に代えて、赤色ＬＥＤ、緑色ＬＥＤ及び青色ＬＥＤを組み合わせることにより白色発光する第３実施形態及び第４実施形態に係るバックライト装置１２Ａ（後述する図２７及び図２８参照）を例にとって以下に説明する。
【０１６３】
バックライト装置１２Ａは、赤色発光する複数のＬＥＤ（以下、赤色ＬＥＤと称する。）１７Ｒ，…（後述する図２９参照）と、緑色発光する複数のＬＥＤ（以下、緑色ＬＥＤと称する。）１７Ｇ，…（図２９参照）と、青色発光する複数のＬＥＤ（以下、青色ＬＥＤと称する。）１７Ｂ，…（図２９参照）とを一群としてそれぞれ有する３色の発光素子群Ｒ，Ｇ，Ｂを備えている。なお、シャーシ１４と赤色ＬＥＤ１７Ｒ，…、緑色ＬＥＤ１７Ｇ，…及び青色ＬＥＤ１７Ｂ，…とＬＥＤ基板２０とでバックライト光源７０Ａを構成している。
【０１６４】
このように、３色の発光素子群Ｒ，Ｇ，Ｂのそれぞれにおける赤色ＬＥＤ１７Ｒ，…、緑色ＬＥＤ１７Ｇ，…及び青色ＬＥＤ１７Ｂ，…は、３色の発光素子群Ｒ，Ｇ，Ｂ間で互いに異なる赤色、緑色及び青色の光を発光する発光素子とされているため、バックライト光源７０Ａは、３色の発光素子群Ｒ，Ｇ，Ｂのそれぞれにおける赤色ＬＥＤ１７Ｒ，…、緑色ＬＥＤ１７Ｇ，…及び青色ＬＥＤ１７Ｂ，…にて発光される赤色、緑色及び青色を合成することで白色を発光することができる。
【０１６５】
赤色ＬＥＤ１７Ｒ，…、緑色ＬＥＤ１７Ｇ，…及び青色ＬＥＤ１７Ｂ，…は、それぞれ、同一型式（すなわち同じ構成、構造）とされている。
【０１６６】
図２７及び図２８は、それぞれ、第３実施形態及び第４実施形態に係るバックライト装置１２Ａにおいて赤色ＬＥＤ１７Ｒ，…、緑色ＬＥＤ１７Ｇ，…及び青色ＬＥＤ１７Ｂ，…を組み合わせることにより白色発光するバックライト光源７０Ａの制御構成を示す概略ブロック図である。
【０１６７】
以下、図２７及び図２８に示すバックライト装置１２Ａの制御構成において、図６及び図２１に示すバックライト装置１２の制御構成とは異なる点を中心に説明する。
【０１６８】
図２７及び図２８に示すバックライト装置１２Ａは、図６及び図２１に示すバックライト装置１２においてバックライト制御部１２１及び記憶部１２２に代えて、バックライト制御部１２１Ａ及び記憶部１２２Ａを備えている。
【０１６９】
画像受信部１０１は、受信した画像データを、画像処理部１０２及びバックライト制御部１２１Ａへそれぞれ出力するようになっている。
【０１７０】
本第３実施形態及び第４実施形態では、バックライト制御部１２１Ａは、３色の発光素子群Ｒ，Ｇ，Ｂのそれぞれにおける赤色ＬＥＤ１７Ｒ，…、緑色ＬＥＤ１７Ｇ，…及び青色ＬＥＤ１７Ｂ，…の光度を１個又は複数個単位（ここでは複数個単位）で個別に制御する機能を有している。
【０１７１】
詳しくは、バックライト装置１２Ａにおけるバックライト光源７０Ａの各赤色ＬＥＤ１７Ｒ，…、各緑色ＬＥＤ１７Ｇ，…及び各青色ＬＥＤ１７Ｂ，…は、バックライト制御部１２１Ａから光度（光量）を示す光度信号が入力されことで、駆動制御される。
【０１７２】
具体的には、バックライト制御部１２１Ａは、図示を省略した調光回路を備えており、該調光回路によって、赤色ＬＥＤ１７Ｒ，…、緑色ＬＥＤ１７Ｇ，…及び青色ＬＥＤ１７Ｂ，…の点灯に必要な電力を供給してバックライト光源７０Ａにおける赤色ＬＥＤ１７Ｒ，…、緑色ＬＥＤ１７Ｇ，…及び青色ＬＥＤ１７Ｂ，…を、区画領域α（ｉ，ｊ）毎に駆動制御するようになっている。
【０１７３】
図２９は、図７において区画された一つの区画領域α（ｉ，ｊ）を示す概略平面図であって、２個単位で個別に駆動制御される赤色ＬＥＤ１７Ｒ，…、緑色ＬＥＤ１７Ｇ，…及び青色ＬＥＤ１７Ｂ，…を示す図である。なお、図２９において区画領域α（ｉ，ｊ）は何れも同様の構成とされているために、ここでは一つの図で示している。
【０１７４】
各区画領域α（ｉ，ｊ）には、２個の赤色ＬＥＤ１７Ｒ，…が配線パターンＷＲによって直列に接続されており、２個の緑色ＬＥＤ１７Ｇ，…が配線パターンＷＧによって直列に接続されており、また、２個の青色ＬＥＤ１７Ｂ，…が配線パターンＷＢによって直列に接続されている。これにより、各区画領域α（ｉ，ｊ）における各赤色ＬＥＤ１７Ｒ，…、各緑色ＬＥＤ１７Ｇ，…及び各青色ＬＥＤ１７Ｂ，…は、各区画領域α（ｉ，ｊ）内においてバックライト制御部１２１Ａによって同一の駆動条件で制御（具体的には同一の駆動電流で駆動）されることになる。なお、各色のＬＥＤの個数は、区画領域α（ｉ，ｊ）のＬＥＤの個数であるｋ個（具体的には６個）を色数（具体的には３色）で割った値である。
【０１７５】
すなわち、バックライト制御部１２１Ａは、各区画領域α（ｉ，ｊ）における赤色ＬＥＤ１７Ｒ，…、緑色ＬＥＤ１７Ｇ，…及び青色ＬＥＤ１７Ｂ，…へ出力した光度信号に応じた光度で各区画領域α（ｉ，ｊ）における赤色ＬＥＤ１７Ｒ，…、緑色ＬＥＤ１７Ｇ，…及び青色ＬＥＤ１７Ｂ，…を各区画領域α（ｉ，ｊ）内において同一の駆動条件で個別に点灯させる。なお、バックライト制御部１２１Ａは、各区画領域α（ｉ，ｊ）における赤色ＬＥＤ１７Ｒ，…、緑色ＬＥＤ１７Ｇ，…及び青色ＬＥＤ１７Ｂ，…へ出力した光度信号が光度０を示す場合には、各区画領域α（ｉ，ｊ）における赤色ＬＥＤ１７Ｒ，…、緑色ＬＥＤ１７Ｇ，…及び青色ＬＥＤ１７Ｂ，…を個別に消灯させる。
【０１７６】
本第３実施形態及び第４実施形態では、バックライト光源７０Ａにおける赤色ＬＥＤ１７Ｒ，…、緑色ＬＥＤ１７Ｇ，…及び青色ＬＥＤ１７Ｂ，…の位置情報として、区画領域α（ｉ，ｊ）がその領域内にある赤色ＬＥＤ１７Ｒ，…、緑色ＬＥＤ１７Ｇ，…及び青色ＬＥＤ１７Ｂ，…に対応づけられて予め記憶部１２２Ａ（図２７及び図２８参照）に記憶されている。そして、第３実施形態では、図２７に示すように、赤色ＬＥＤ１７Ｒ，…、緑色ＬＥＤ１７Ｇ，…及び青色ＬＥＤ１７Ｂ，…に対応づけられた区画領域α（ｉ，ｊ）に対するバックライト光源７０Ａにおける温度分布特性を示す補正テーブルとして温度分布補正テーブルＴＢ１Ａが予め記憶部１２２Ａに記憶されている。また、第４実施形態では、図２８に示すように、液晶表示装置１０Ａの予め定めたｐパターン（ｐは２以上の整数、ここではｐ＝３）の姿勢毎に、赤色ＬＥＤ１７Ｒ，…、緑色ＬＥＤ１７Ｇ，…及び青色ＬＥＤ１７Ｂ，…に対応づけられた区画領域α（ｉ，ｊ）に対するバックライト光源７０Ａにおける温度分布特性を示す補正テーブルとして第１から第ｐ温度分布補正テーブルＴＢ１Ａ（１）〜ＴＢ１Ａ（ｐ）が予め記憶部１２２に記憶されている。
【０１７７】
温度分布補正テーブルＴＢ１Ａ並びに第１から第ｐ温度分布補正テーブルＴＢ１Ａ（１）〜ＴＢ１Ａ（ｐ）には、赤色ＬＥＤ１７Ｒ，…、緑色ＬＥＤ１７Ｇ，…及び青色ＬＥＤ１７Ｂ，…の温度飽和時の各区画領域α（ｉ，ｊ）における設定温度が設定されている。
【０１７８】
図３０は、バックライト光源７０Ａに設けられる赤色ＬＥＤ１７Ｒ，…、緑色ＬＥＤ１７Ｇ，…及び青色ＬＥＤ１７Ｂ，…の周囲温度と相対光度との関係を示すグラフである。なお、図３０において、縦軸は、赤色ＬＥＤ１７Ｒ、緑色ＬＥＤ１７Ｇ及び青色ＬＥＤ１７Ｂを一定の基準光度信号（ここでは基準電流（具体的には２０ｍＡ））で駆動して周囲温度が２５℃のときでの赤色ＬＥＤ１７Ｒ、緑色ＬＥＤ１７Ｇ及び青色ＬＥＤ１７Ｂの光度を１とした場合の相対光度（割合）を示している。なお、基準光度信号は、前記した領域毎調光制御が行われていないときの基準となる光度信号である。
【０１７９】
ここで、バックライト装置１２Ａにおける個々の赤色ＬＥＤ１７Ｒ，…、個々の緑色ＬＥＤ１７Ｇ，…及び個々の青色ＬＥＤ１７Ｂ，…は、既述したように、それぞれ、同一型式（すなわち同じ構成、構造）のＬＥＤであり、周囲温度と相対光度との関係が何れも同等の関係を示すため、図３０では、バックライト装置１２Ａにおける一つの赤色ＬＥＤ１７Ｒ、一つの緑色ＬＥＤ１７Ｇ及び一つの青色ＬＥＤ１７Ｂにそれぞれ代表させて示している。
【０１８０】
図３０に示すように、バックライト光源７０Ａにおける赤色ＬＥＤ１７Ｒ，…及び緑色ＬＥＤ１７Ｇ，…は、周囲温度が上昇するに伴って相対光度が小さくなる特性（負の相関関係を示す特性）を有している。一方、バックライト光源７０Ａにおける青色ＬＥＤ１７Ｂ，…は、周囲温度が上昇するに伴って相対光度が大きくなる特性（正の相関関係を示す特性）を有している。
【０１８１】
よって、記憶部１２２Ａ（図２７及び図２８参照）には、温度補正テーブルＴＢ２Ａが予め記憶されている。温度補正テーブルＴＢ２Ａは、赤色用温度補正テーブルＴＢ２Ｒ、緑色用温度補正テーブルＴＢ２Ｇ及び青色温度補正テーブルＴＢ２Ｂを備えている。
【０１８２】
本第３実施形態及び第４実施形態では、赤色用温度補正テーブルＴＢ２Ｒ及び緑色用温度補正テーブルＴＢ２Ｇには、光度倍率（具体的には基準電流の電流倍率）が各設定温度に対して図３０に示す赤色ＬＥＤ１７Ｒ及び緑色ＬＥＤ１７Ｇの負の相関関係とは逆の正の相関関係を示す値に設定されている。一方、青色用温度補正テーブルＴＢ２Ｂには、光度倍率（具体的には基準電流の電流倍率）が各設定温度に対して図３０に示す青色ＬＥＤ１７Ｂの正の相関関係とは逆の負の相関関係を示す値に設定されている。
【０１８３】
ここで「負の相関関係」とは、温度の上昇に伴い光度倍率が小さくなり、温度の低下に伴い光度倍率が大きくなる関係である。
【０１８４】
なお、赤色用温度補正テーブルＴＢ２Ｒ、緑色用温度補正テーブルＴＢ２Ｇ及び青色温度補正テーブルＴＢ２Ｂは、それぞれ、個々の赤色ＬＥＤ１７Ｒ，…、個々の緑色ＬＥＤ１７Ｇ，…及び個々の青色ＬＥＤ１７Ｂ，…毎に記憶部１２２Ａに記憶されていて、赤色ＬＥＤ１７Ｒ，…、緑色ＬＥＤ１７Ｇ，…及び青色ＬＥＤ１７Ｂ，…の光度を１個単位で個別に制御してもよいが、赤色ＬＥＤ１７Ｒ，…、緑色ＬＥＤ１７Ｇ，…及び青色ＬＥＤ１７Ｂ，…は、ここでは、それぞれ、同一型式（すなわち同じ構成、構造）のＬＥＤであるので、１種類のデータが記憶とされている。これにより、赤色ＬＥＤ１７Ｒ，…、緑色ＬＥＤ１７Ｇ，…及び青色ＬＥＤ１７Ｂ，…の光度を効率的に補正することができる。
【０１８５】
また、赤色ＬＥＤ１７Ｒ、緑色ＬＥＤ１７Ｇ及び青色ＬＥＤ１７Ｂの少なくとも二つは、温度と光度の相関関係が同一であるものと区別される場合には、該同一とされた少なくとも二つのＬＥＤに対して共通の温度補正テーブルを設定することができる。これにより、赤色ＬＥＤ１７Ｒ，…、緑色ＬＥＤ１７Ｇ，…及び青色ＬＥＤ１７Ｂ，…の光度をさらに効率的に補正することができる。
【０１８６】
そして、バックライト制御部１２１Ａは、図１３及び図２６に示す輝度制御と同様に、赤色ＬＥＤ１７Ｒ，…、緑色ＬＥＤ１７Ｇ，…及び青色ＬＥＤ１７Ｂ，…の輝度制御を行う。
【０１８７】
すなわち、バックライト制御部１２１Ａは、温度分布補正テーブルＴＢ１Ａ並びに第１から第ｐ温度分布補正テーブルＴＢ１Ａ（１）〜ＴＢ１Ａ（ｐ）の何れか一つの温度分布補正テーブルに記憶された設定温度から赤色温度補正テーブルＴＢ２Ｒ、緑色温度補正テーブルＴＢ２Ｇ及び青色温度補正テーブルＴＢ２Ｂの電流倍率を取得し（図１３及び図２６のステップＳ３参照）、取得した電流倍率と基準電流（具体的には２０ｍＡ）とから駆動電流を算出し（図１３及び図２６のステップＳ４参照）、算出した駆動電流によって赤色ＬＥＤ１７Ｒ，…、緑色ＬＥＤ１７Ｇ，…及び青色ＬＥＤ１７Ｂ，…をそれぞれ駆動することで（図１３及び図２６のステップＳ５参照）、白色の色相を一定に維持した状態で、バックライト光源７０Ａの発光面における輝度を均一にすることが可能となる。
【０１８８】
本第３実施形態及び第４実施形態において、バックライト制御部１２１Ａは、温度分布補正テーブルＴＢ１Ａ並びに第１から第ｐ温度分布補正テーブルＴＢ１Ａ（１）〜ＴＢ１Ａ（ｐ）の何れか一つの温度分布補正テーブルの温度分布特性における各赤色ＬＥＤ１７Ｒ，…、各緑色ＬＥＤ１７Ｇ，…及び各青色ＬＥＤ１７Ｂ，…に対応する区画領域α（ｉ，ｊ）での設定温度と基準温度との温度差に応じて各赤色ＬＥＤ１７Ｒ，…、各緑色ＬＥＤ１７Ｇ，…及び各青色ＬＥＤ１７Ｂ，…をそれぞれ駆動制御する。こうすることで、簡単な制御構成でバックライト光源７０Ａの発光面における輝度を均一にすることができる。
【０１８９】
また、本第３実施形態及び第４実施形態において、バックライト制御部１２１Ａは、温度と光度との関係が負の相関関係を示す特性を有する赤色ＬＥＤ１７Ｒ，…及び緑色ＬＥＤ１７Ｇ，…のうち、設定温度が基準温度よりも低い赤色ＬＥＤ１７Ｒ及び緑色ＬＥＤ１７Ｇに対して設定温度と基準温度との温度差に対応する分だけ赤色ＬＥＤ１７Ｒ及び緑色ＬＥＤ１７Ｇの光度を小さくするようになっている。一方、バックライト制御部１２１Ａは、温度と光度との関係が正の相関関係を示す特性を有する青色ＬＥＤ１７Ｂ，…のうち、設定温度が基準温度よりも高い青色ＬＥＤ１７Ｂに対して設定温度と基準温度との温度差に対応する分だけ青色ＬＥＤ１７Ｂの光度をそれぞれ小さくするようになっている。こうすることで、全体の消費電力を低く抑えた状態で、バックライト光源７０Ａの発光面における輝度を均一にすることができる。
【０１９０】
また、本第３実施形態及び第４実施形態において、基準温度が温度分布補正テーブルＴＢ１Ａ並びに第１から第ｐ温度分布補正テーブルＴＢ１Ａ（１）〜ＴＢ１Ａ（ｐ）の何れか一つの温度分布補正テーブルの温度分布特性における設定温度のうち最大の設定温度（具体的には４５℃）とされていることで、例えば、発光時に最大の光度で発光する赤色ＬＥＤ１７Ｒ、緑色ＬＥＤ１７Ｇ及び青色ＬＥＤ１７Ｂに効果的に適用することができる。
【０１９１】
また、本第３実施形態及び第４実施形態において、バックライト制御部１２１Ａは、温度と光度との関係が負の相関関係を示す特性を有する赤色ＬＥＤ１７Ｒ，…及び緑色ＬＥＤ１７Ｇ，…のうち、設定温度が基準温度よりも高い赤色ＬＥＤ１７Ｒ及び緑色ＬＥＤ１７Ｇに対して設定温度と基準温度との温度差に対応する分だけ赤色ＬＥＤ１７Ｒ及び緑色ＬＥＤ１７Ｇの光度を大きくするようになっていてもよい。一方、バックライト制御部１２１Ａは、温度と光度との関係が正の相関関係を示す特性を有する青色ＬＥＤ１７Ｂ，…のうち、設定温度が基準温度よりも低い青色ＬＥＤ１７Ｂに対して設定温度と基準温度との温度差に対応する分だけ青色ＬＥＤ１７Ｂの光度をそれぞれ大きくするようになっていてもよい。こうすることで、バックライト光源７０Ａの発光面における全体の輝度を大きくした状態で、バックライト光源７０Ａの発光面における輝度を均一にすることができる。
【０１９２】
以上説明した第１実施形態及び第２実施形態並びに第３実施形態及び第４実施形態のバックライト制御部１２１，１２１Ａでは、区画領域毎に調光制御を行って白色ＬＥＤ１７，…或いは赤色ＬＥＤ１７Ｒ，…、緑色ＬＥＤ１７Ｇ，…及び青色ＬＥＤ１７Ｂ，…の光度を補正するようにしたが、区画領域毎に調光制御を行わずに個々の白色ＬＥＤ１７，…或いは個々の赤色ＬＥＤ１７Ｒ，…、緑色ＬＥＤ１７Ｇ，…及び青色ＬＥＤ１７Ｂ，…の光度を補正するようにしてもよい。
【符号の説明】
【０１９３】
１０            液晶表示装置（表示装置の一例）
１２            バックライト装置（照明装置の一例）
１２Ａ          バックライト装置（照明装置の他の例）
１７，…        白色ＬＥＤ（発光素子の一例）
１７Ｒ，…      赤色ＬＥＤ（発光素子の他の例）
１７Ｇ，…      緑色ＬＥＤ（発光素子の他の例）
１７Ｂ，…      青色ＬＥＤ（発光素子の他の例）
１８            放熱部材
１８ａ          一方の放熱部材
１８ｂ          他方の放熱部材
１９            冷却ファン（冷却装置の一例）
３０            姿勢検出部（姿勢検出手段の一例）
３１            ３次元ジャイロセンサ
３２            重力加速度センサ
３３            角度検出部
７０            バックライト光源（面状光源の一例）
７０Ａ          バックライト光源（面状光源の他の例）
１２１          バックライト制御部（光度制御手段の一例）
１２１Ａ        バックライト制御部（光度制御手段の他の例）
１２２          記憶部
１２２Ａ        記憶部
Ｒ              赤色発光素子群（発光素子群の一例）
Ｇ              緑色発光素子群（発光素子群の一例）
Ｂ              青色発光素子群（発光素子群の一例）
ＬＣ，…        表示領域
ＴＢ１          温度分布補正テーブル
ＴＢ１（１）    第１温度分布補正テーブル
ＴＢ１（２）    第２温度分布補正テーブル
ＴＢ１（３）    第３温度分布補正テーブル
ＴＢ１Ａ        温度分布補正テーブル
ＴＢ１Ａ（１）  第１温度分布補正テーブル
ＴＢ１Ａ（２）  第２温度分布補正テーブル
ＴＢ１Ａ（３）  第３温度分布補正テーブル
ＴＢ２          温度補正テーブル
ＴＢ２Ａ        温度補正テーブル
ＴＢ２Ｒ        赤色用温度補正テーブル
ＴＢ２Ｇ        緑色用温度補正テーブル
ＴＢ２Ｂ        青色用温度補正テーブル
Ｘ              Ｘ軸方向
Ｙ              Ｙ軸方向
Ｚ              Ｚ軸方向
θｘ            第１回転角度
θｙ            第２回転角度
【図１】
0005367883.tif 000002
【図２】
0005367883.tif 000003
【図３】
0005367883.tif 000004
【図４】
0005367883.tif 000005
【図５】
0005367883.tif 000006
【図６】
0005367883.tif 000007
【図７】
0005367883.tif 000008
【図８】
0005367883.tif 000009
【図１０】
0005367883.tif 000010
【図１１】
0005367883.tif 000011
【図１２】
0005367883.tif 000012
【図１３】
0005367883.tif 000013
【図１４】
0005367883.tif 000014
【図１５】
0005367883.tif 000015
【図１６】
0005367883.tif 000016
【図１７】
0005367883.tif 000017
【図１８】
0005367883.tif 000018
【図１９】
0005367883.tif 000019
【図２０】
0005367883.tif 000020
【図２１】
0005367883.tif 000021
【図２２】
0005367883.tif 000022
【図２３】
0005367883.tif 000023
【図２４】
0005367883.tif 000024
【図２５】
0005367883.tif 000025
【図２６】
0005367883.tif 000026
【図２７】
0005367883.tif 000027
【図２８】
0005367883.tif 000028
【図２９】
0005367883.tif 000029
【図３０】
0005367883.tif 000030
【図９】
0005367883.tif 000031